(57)【特許請求の範囲】
【請求項１】
建築中建物の複数の水平鋼材の突出端部に沿って仮設する仮設通路であって、断面コ字形で断面の開口側が外側となるように前記複数の水平鋼材の突出端部に沿って通路幅間隔で２列に配置される側面鋼材と、前記側面鋼材の長手方向内側面に適宜間隔で設けられ、上から下に向かう孔を有する係止孔部材と、前記側面鋼材の長手方向上面に適宜間隔で設けられ、手摺の支柱が差し込まれる孔と、通路幅間隔に配置した一対の側面鋼材のそれぞれの内側面に設けた係止孔部材に着脱可能に差し込まれる係止片を両端に有する棒状の連結材と、２列に配列された側面鋼材の一対の係止孔部材に長手方向に沿って順に両端が係止される隣合う連結材に、掛け渡すようにした足場板と、からなることを特徴とする組立式仮設通路。
【請求項２】
長手方向に隣合う２つの側面鋼材の間に、側面鋼材の断面より少し小さな断面コ字形の連結部材を配置して、２つの側面鋼材をボルトによって連結することを特徴とする請求項１に記載の組立式仮設通路。
【請求項３】
側面鋼材の一端の起立面と下面のそれぞれに係止孔が設けられ、側面鋼材の他端の起立面に係止孔が設けられるとともに、下面に前記下面の係止孔に挿入される係止突片が設けられ、さらに前記２つの起立面の係止孔に挿入される係止片を有する係止部材が設けられていることを特徴とする請求項１に記載の組立式仮設通路。
【発明の詳細な説明】
【０００１】
【発明の属する技術分野】
本発明は、建築中の建物の複数の水平鋼材の突出端部に沿って仮設通路を容易に組立られるようにした組立式仮設通路に関する
【０００２】
【従来の技術】
建築物の施工中は、外壁作業などのために建物外部に足場が組まれ、また資材の搬送のためにその足場に足場板を水平に固定させて、仮設通路にしている。このような仮設通路は、パイプ材をクランプで連結固定して足場を組み上げ、足場の各水平パイプ間に順に足場板を掛け渡して仮設通路にしている。
【０００３】
【発明が解決しようとする課題】
上記従来の仮設通路では、パイプで足場を組立てて、その足場の水平部材に足場板を掛け渡して仮設通路にしているので、足場を組立てるためのスペースが建築物の周囲に必要であるとともに、足場の組立て作業に多くの人手を要するという問題がある。
そこで本発明は、パイプで足場を組立てるスペースがないような場合でも容易に仮設通路を建築中の建物周囲に設けられるようにするとともに、仮設通路を簡単かつ容易に組立られるようにすることを目的とする。
【０００４】
【課題を解決するための手段】
本発明は、建築中建物の複数の水平鋼材の突出端部に沿って仮設する組立式仮設通路であって、上記目的を達成したものである。その仮設通路は、断面コ字形で断面の開口側が外側となるように前記複数の水平鋼材の突出端部に沿って通路幅間隔で２列に配置される側面鋼材と、前記側面鋼材の長手方向内側面に適宜間隔で設けられ、上から下に向かう孔を有する係止孔部材と、前記側面鋼材の長手方向上面に適宜間隔で設けられ、手摺の支柱が差し込まれる孔と、通路幅間隔に配置した一対の側面鋼材のそれぞれの内側面に設けた係止孔部材に着脱可能に差し込まれる係止片を両端に有する棒状の連結材と、２列に配列された側面鋼材の一対の係止孔部材に長手方向に沿って順に両端が係止される隣合う連結材に、掛け渡される足場板と、から構成した。また、長手方向に隣合う２つの側面鋼材の間に、側面鋼材の断面より少し小さな断面コ字形の連結部材を配置して、２つの側面鋼材をボルトによって連結することにより、側面鋼材を長く連結することができる。さらに、側面鋼材の一端の起立面と下面のそれぞれに係止孔を設け、側面鋼材の他端の起立面に係止孔を設けるとともに、下面に前記下面の係止孔に挿入される係止突片を設け、かつ前記２つの起立面の係止孔に挿入される係止片を有する係止部材を設けることにより、側面鋼材を長く連結することができる。
【０００５】
上記の組立式仮設通路を、建築中建物の床を支持する複数の水平鋼材の突出端部に沿って仮設する場合は、複数の水平鋼材の突出端部に沿って側面鋼材を、通路幅間隔に２列に配置し、２列の側面鋼材の一対の係止孔部材に次々に連結材の両端係止片を差し込んで、２列の側面鋼材を所定間隔に連結する。次に、クランプなどを使用して側面鋼材を前記突出端部に固定し、さらに前記の各連結材のうち隣合う２つの間に足場板を次々に掛け渡し、その後に、両側の側面鋼材の長手方向上面に設けた孔に手摺の支柱を差し込んで固定すれば、建築中建物の周囲に仮設通路を組立てて設けることができる。このように、建物の水平鋼材の突出端部に仮設通路を支持させることにより、建物周囲に足場を組立てるスペースがない場合でも、仮設通路を設けることができ、しかも仮設通路を簡単かつ容易に組立てることができる。さらに、側面鋼材を長く連結する場合、連結部材の両端を両側の側面鋼材の断面コ字形の内部に重ねて配置し、ボルトにより固定することで２つの側面鋼材を長手方向に連結したり、側面鋼材の一端に２つの係止孔を設けるとともに、他端に係止孔と係止突片を設けておくことにより、長手方向に２つの側面鋼材を配置して片側の側面鋼材の一方の係止孔には、他方の係止突片を挿入し、残りの係止孔には係止部材の係止片を挿入することで２つの側面鋼材を長手方向に連結したりすることができる。
【０００６】
【発明の実施の形態】
本発明の仮設通路の実施例を図１〜図４により説明する。
組立式仮設通路は、建築中建物の床を支持する複数の水平鋼材（例えばＩ型鋼）の突出端部１に沿って設けるものであり、水平鋼材の突出端部１に通路幅間隔で２列に固定する側面鋼材２と、前記の一対の側面鋼材２の間を所定間隔に連結する連結材４と、前記の連結材４に支持される足場板５とで構成し、それらを容易に仮設通路に組立てられるようになっている。
【０００７】
側面鋼材２は、図１に示されるように、断面コ字形で直線的に長い形状に形成され、その側面鋼材２は断面の開口側が外側となるように水平鋼材の突出端部１に沿って２列に配置されて使用される。そして、側面鋼材２の内側面に、係止孔部材６が側面鋼材２の長手方向に適宜間隔で複数設けられている。係止孔部材６は、上面が開口して上から下に向かう孔を有し、後記する連結材４の係止片４ａが着脱可能に差し込めるようになっている。係止孔部材６の上端位置は側面鋼材２の上端から少し下の位置とされ、後記するように足場板５を掛け渡した状態で、側面鋼材２の上部が足場板５より上方に突出して側板として機能するようになっている。なお、係止孔部材６の孔は断面四角形にされているが、その他の断面形状にすることも可能である。また側面鋼材２は、断面コ字形に形成されていたが、Ｉ型鋼やＨ型鋼や断面四角形に加工した鋼材でも適用可能である。
【０００８】
また側面鋼材２は、上面の長手方向に適宜間隔で複数の孔７が設けられ、各孔７の下側に支柱支持筒８が設けられて、前記孔７から下に向かって手摺９の支柱９ａを差し込んで固定できるようになっている。手摺９は図４に示すように、支柱９ａの上部に水平方向に長さ調整できる手摺棒９ｂが設けられており、支柱９ａの下部は支柱支持筒８に挿入できるように少し細く形成されている。なお、手摺の支柱９ａの下部は、外径を大小に調整できる公知の外径調整軸に形成してもよい。
【０００９】
仮設通路は、複数の水平鋼材の突出端部１に沿って長く設けられるので、側面鋼材２は図３に示すように連結する必要があり、その場合、長手方向に隣合う２つの側面鋼材２の間に、側面鋼材の断面より少し小さな断面コ字形の連結鋼材１０を配置し、ボルト１１により連結できるようになっている。なお、連結鋼材１０の両端は両側の側面鋼材２の断面コ字形部の内部に重ねて配置され、両者に設けられている複数のボルト孔を長さ調整することにより一致させて、ボルト１１により固定できるようになっている。
【００１０】
側面鋼材２を長手方向に連結するためには、図５に示すように、側面鋼材２の一端に断面Ｌ字形のブラケットを溶接するか側面鋼材を切欠いて、側面鋼材２の起立面２ａと下面２ｂにそれぞれ係止孔２１、２２を設けるとともに、他端の起立面２ａに係止孔２３を設けかつ下面２ｂに係止突片２４を設けさらに上面にピン孔２５ｅを設け、係止部材２５により長手方向に隣接する２つの側面鋼材２を連結できるようにしてもよい。なお、図５の側面鋼材２は、断面コ字形の両端にさらに前記起立面と平行な突片２ｃが設けられている。また、係止部材２５は、断面Ｌ字形のブラケット２５ａの一方の片部に垂直に係止片２５ｂが突設され、さらにその係止片２５ｂとそれに平行なブラケット２５ａの片部にそれぞれピン孔２５ｃ、２５ｄが設けられ、それらピン孔に挿入されるピン２６が鎖を介してブラケット２５ａに取付けられている。
そして、長手方向に配置した２つの側面鋼材２を連結する時は、一方の側面鋼材の端部の係止突片２４を他方の側面鋼材の下面の係止孔２２に上から挿入し、係止部材２５を図の矢印Ａのように押し込んで係止片２５ｂを両者の起立面の係止孔２１、２３に挿入し、さらにピン２６をピン孔２５ｄ、２５ｅ、２５ｃに挿入して連結する。この状態では係止突片２４とピン２６との向きが、係止片２５ｂに対し直交方向となるので容易には抜け出すことがなく、強固に連結することができる。
【００１１】
また、通路幅間隔に配置した一対の側面鋼材２の間隔を保持するため、図３（ｃ）に示すようにＸ字状に補強材１２で連結するようになっている。そのため補強材１２の両端には係止孔が設けられ、その係止孔が側面鋼材２に設けられている抜け止め付きピンに係合できるようになっている。
【００１２】
連結材４は、図１に示されているように、棒材の両端に係止片４ａが下方に突設され、その係止片４ａが側面鋼材の係止孔部材６の孔に係合できるようになっている。係止片４ａは、係止孔部材６の孔断面に対応させて断面四角形に形成され、先端は少し細くして差し込み易くしている。また連結材４は断面四角形であるが、断面丸形などにして、足場板５の端部のフック５ａを係合しやすくしてもよく、また係止片４ａも係止孔部材６に対応させた断面形状にすることができる。
上記の連結剤４は、長さが一定のものであったが、図６に示すように中央部を二重筒に形成して長さ調節できるようにし、二重筒部分の複数の孔４ｂの適宜位置にピンなどを差し込んで長さを固定することにより、通路幅を変更調節することができるようにしてもよい。
足場板５は、図２（ｂ）に示すように、細長い板部の両端にそれぞれフック５ａが２つ設けられており、両側のフック５ａを一対の側面鋼材２の間に配置されている前記連結材４に係合させて、通路床を形成できるようになっている。
【００１３】
上記の組立式仮設通路を構成する側面鋼材２と連結材４と足場板５とを使用して、建築中の建物の外壁周囲に仮設通路を設ける場合は、建築中建物の複数の水平鋼材の突出端部１の上に沿って側面鋼材２を通路間隔に２列に配置し、両側の側面鋼材２の係止孔部材６に連結材４の両端の係止片４ａをそれぞれ挿入して、側面鋼材２を通路幅間隔に連結する。次いでクランプなどにより側面鋼材２を水平鋼材の突出端部１に固定する。なお仮設通路が側面鋼材２より長い場合は、長手方向に隣合う側面鋼材２を連結鋼材１０を介してボルト１１により連結し、前記のように連結材４で通路幅間隔に連結する。
【００１４】
次に、足場板５の両端のフック５ａを隣合う連結材４に係止させて通路床にする。なお本実施例では３枚の足場板５を１つの連結材４に係止させて、３枚の足場板の合計幅の通路にした。さらに、通路幅間隔に配置した両側の側面鋼材２の各支柱支持筒８に手摺の支柱９ａを差し込んで固定することにより仮設通路の両側に手摺９を設けることができる。このように組み立てることにより、建築中の建物周囲に仮設通路を設けることができる。
【００１５】
【発明の効果】
本発明の組立式仮設通路は、建築中建物の複数の水平鋼材の突出端部の上に側面鋼材を２列に配置して、両側の側面鋼材の係止孔部材に連結材の両端の係止片を差し込むだけで、両側の側面鋼材を通路幅間隔に固定でき、その状態で側面鋼材を水平鋼材の突出端部に固定して、各連結材の間に足場板を掛け渡すようにしているので、仮設通路の組立が容易である。また側面鋼材を水平鋼材の突出端部に支持させるので、建物の外周に足場を組立てるスペースがない場合でも仮設通路を設けることができる。さらに、長手方向に配置した２つの側面鋼材は係止部材により強固に連結でき、安全である。
【図面の簡単な説明】
【図１】本発明の組立式仮設通路における通路部分の足場板を配置する前の状態の斜視図である。
【図２】組立式仮設通路の横断面図（ａ）と、足場板の斜視図（ｂ）である。
【図３】組立式仮設通路の正面図（ａ）と、側面鋼材の連結部部分の部分正面図（ｂ）と、足場板を取付ける前の状態の仮設通路の平面図である。
【図４】側面鋼材に手摺を設けた状態の仮設通路の正面図である。
【図５】側面鋼材の連結部分の別実施例を示す斜視図である。
【図６】連結材の別実施例の斜視図である。
【符号の説明】
２    側面鋼材
４    連結材
５    足場板
６    係止孔部材
８    支柱支持筒
９    手摺
２５    係止部材
【図１】
0003865423.tif 000002
【図２】
0003865423.tif 000003
【図３】
0003865423.tif 000004
【図４】
0003865423.tif 000005
【図５】
0003865423.tif 000006
【図６】
0003865423.tif 000007